【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
所定の演出画像が表示される演出画像表示装置と、
前記遊技領域に設けられ、遊技球を受け入れ可能な受入口と、
前記遊技領域に設けられ、遊技球の受け入れが不可能な閉鎖態様と遊技球の受け入れが可能な開放態様との間で変位可能な開閉装置と、
機械的な抽選処理を行う機械的抽選装置と、
前記開閉装置から受け入れた遊技球を前記機械的抽選装置に案内し得る案内装置と、
前記機械的な抽選処理に当選したことに応じて遊技者に有利な特別遊技を行う特別遊技実行手段を少なくとも有する遊技制御手段と、
を備え、
前記遊技制御手段は、
前記演出画像表示装置にて表示される演出画像として複数の演出画像を少なくとも記憶する演出画像記憶手段、
前記受入口への遊技球の受け入れを検出する受入口検出手段、
前記受入口検出手段による前記受入口への遊技球の受入検出に基づいて内部的な抽選処理を行う内部抽選手段、
前記演出画像表示装置にて表示される演出画像を、前記受入口検出手段による前記受入口への遊技球の受入検出に基づいて行われる前記内部的な抽選処理に当選したことに応じて、前記演出画像記憶手段に記憶される前記複数の演出画像のなかから任意の演出画像に偏ることなくいずれかに選択決定する演出画像選択決定手段、
少なくとも前記演出画像選択決定手段により選択決定された演出画像が前記演出画像表示装置にて表示されるように表示制御する演出画像表示制御手段、
前記受入口検出手段による前記受入口への遊技球の受入検出に基づいて行われる前記内部的な抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、並びに
前記開閉装置から受け入れた遊技球が特定のタイミングで前記機械的抽選装置に案内されるように、前記案内装置の作動を制御する案内制御手段、
を有する遊技機であって、
前記案内装置は、前記開閉装置から受け入れた遊技球のうち１球のみを、前記特定のタイミングとしての前記開閉装置が前記開放態様に変位してから一定時間経過後に前記機械的抽選装置に案内すると共に、
前記機械的抽選装置は、一定の時間毎におとずれる当選タイミングとしての特定時間内に前記１球の遊技球が案内されたときに当選となるように前記機械的な抽選処理を行うものであり、
前記複数の演出画像は、前記１球の遊技球が前記機械的抽選装置に案内されるタイミングを異ならせるべく、それぞれの演出時間が所定時間ずつ異なっており、
前記１球の遊技球が前記特定時間内に前記機械的抽選装置に案内され得る演出画像を当選演出画像としたとき、
前記一定の時間の整数倍が前記複数の演出画像の数と前記所定時間とを乗じた値に相当すると共に、前記特定時間の前記整数倍が前記当選演出画像の数と前記所定時間とを乗じた値に相当することによって、前記複数の演出画像に対する前記当選演出画像の比率と、前記一定の時間に対する前記特定時間の比率と、がほぼ同じになる
ことを特徴とする遊技機。
【請求項２】
前記開閉装置から受け入れた遊技球が転動可能な転動通路をさらに備えており、
前記機械的抽選装置は、一以上の特別領域および一以上の通常領域が周縁に沿って設けられると共に一定の速度で回転することによって前記機械的な抽選処理を行う円形状の回転式役物であって、
前記案内装置は、前記遊技球が転動する方向における前記転動通路の終端側に設けられると共に、前記転動通路を転動した遊技球のうち１球の遊技球のみを前記回転式役物の周縁に対向させることによって、当該１球の遊技球を前記機械的抽選装置に案内するものであり、
前記案内装置と前記特別領域または前記通常領域とが対向する部位が視認可能に構成されていると共に、
前記案内装置と前記特別領域とが対向したときが前記当選タイミングである
ことを特徴とする請求項１に記載の遊技機。
【請求項３】
前記特別領域は、遊技球を受け入れ可能な特別選択口と、当該特別選択口に隣接し且つ前記案内装置が当該特別選択口に先だって対向する特別周壁と、から形成されていると共に、
前記通常領域は、遊技球を受け入れ可能な通常選択口と、当該通常選択口に隣接し且つ前記案内装置が当該通常選択口に先だって対向する通常周壁と、から形成されており、
前記案内装置と前記特別領域とが対向するときに前記１球の遊技球が前記機械的抽選装置に案内されたときは、当該特別領域を形成する前記特別選択口に前記１球の遊技球が案内されると共に、
前記案内装置と前記通常領域とが対向するときに前記１球の遊技球が前記機械的抽選装置に案内されたときは、当該通常領域を形成する前記通常選択口に前記１球の遊技球が案内される
ことを特徴とする請求項２に記載の遊技機。
【手続補正２】
【補正対象書類名】明細書
【補正対象項目名】０００７
【補正方法】変更
【補正の内容】
【０００７】
前記課題を解決するための本発明に係る遊技機は、打ち込まれた遊技球が流下可能な遊技領域を有する遊技盤と、所定の演出画像が表示される演出画像表示装置と、前記遊技領域に設けられ、遊技球を受け入れ可能な受入口と、前記遊技領域に設けられ、遊技球の受け入れが不可能な閉鎖態様と遊技球の受け入れが可能な開放態様との間で変位可能な開閉装置と、機械的な抽選処理を行う機械的抽選装置と、前記開閉装置から受け入れた遊技球を前記機械的抽選装置に案内し得る案内装置と、前記機械的な抽選処理に当選したことに応じて遊技者に有利な特別遊技を行う特別遊技実行手段を少なくとも有する遊技制御手段と、を備え、前記遊技制御手段は、前記演出画像表示装置にて表示される演出画像として複数の演出画像を少なくとも記憶する演出画像記憶手段、前記受入口への遊技球の受け入れを検出する受入口検出手段、前記受入口検出手段による前記受入口への遊技球の受入検出に基づいて内部的な抽選処理を行う内部抽選手段、前記演出画像表示装置にて表示される演出画像を、前記受入口検出手段による前記受入口への遊技球の受入検出に基づいて行われる前記内部的な抽選処理に当選したことに応じて、前記演出画像記憶手段に記憶される前記複数の演出画像のなかから任意の演出画像に偏ることなくいずれかに選択決定する演出画像選択決定手段、少なくとも前記演出画像選択決定手段により選択決定された演出画像が前記演出画像表示装置にて表示されるように表示制御する演出画像表示制御手段、前記受入口検出手段による前記受入口への遊技球の受入検出に基づいて行われる前記内部的な抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、並びに、前記開閉装置から受け入れた遊技球が特定のタイミングで前記機械的抽選装置に案内されるように、前記案内装置の作動を制御する案内制御手段、を有する遊技機であって、前記案内装置は、前記開閉装置から受け入れた遊技球のうち１球のみを、前記特定のタイミングとしての前記開閉装置が前記開放態様に変位してから一定時間経過後に前記機械的抽選装置に案内すると共に、前記機械的抽選装置は、一定の時間毎におとずれる当選タイミングとしての特定時間内に前記１球の遊技球が案内されたときに当選となるように前記機械的な抽選処理を行うものであり、前記複数の演出画像は、前記１球の遊技球が前記機械的抽選装置に案内されるタイミングを異ならせるべく、それぞれの演出時間が所定時間ずつ異なっており、前記１球の遊技球が前記特定時間内に前記機械的抽選装置に案内され得る演出画像を当選演出画像としたとき、前記一定の時間の整数倍が前記複数の演出画像の数と前記所定時間とを乗じた値に相当すると共に、前記特定時間の前記整数倍が前記当選演出画像の数と前記所定時間とを乗じた値に相当することによって、前記複数の演出画像に対する前記当選演出画像の比率と、前記一定の時間に対する前記特定時間の比率と、がほぼ同じになることを特徴とする遊技機である。